(57)【要約】【課題】  鼻の形を一時的に変える手段として、鼻孔内に装着する着脱式鼻高支持具左孔用本体と右孔用本体を糸で接続し、安全で確実に鼻の形を変え、人前での使用を可能とする。【解決手段】  鼻高支持具左孔用本体と鼻高支持具右孔用本体を透明な糸で接続し、装着状態で糸が鼻孔仕切りの外側にかかることにより、適性位置に安定装着でき、確実に鼻の形を変え、鼻高支持具本体が鼻孔奥方向へずれ込む危険を防止し、且つ接続糸はほとんど他人に気付かれることなく、人前での使用が可能となる。【選択図】図１
0003121830.tif 000002
【実用新案登録請求の範囲】
【請求項１】
鼻前庭部，鼻孔の高さより少し長く，板棒状で弾力性のある素材でできた，鼻高支持具左孔用本体と鼻高支持具右孔用本体を糸で接続したことを特徴とする鼻孔装着用着脱式鼻高支持具。
【考案の詳細な説明】
【技術分野】
【０００１】  本考案は鼻孔内に装着し一時的に鼻を高く支持し、鼻翼のふくらみを小さく保持する、鼻高支持具左孔用本体と鼻高支持具右孔用本体を糸で接続した着脱式鼻高支持具に関するものである。
【背景技術】
【０００２】  鼻の形を恒久変形させるには、外科整形手術、外的に圧力や引っ張り力を長時間加える、鼻孔内に用具を長時間装着するなどの方法があり、一時的に変形させるには、鼻孔内に用具を装着し保持する方法があった。
【考案の開示】
【考案が解決しようとする課題】
【０００３】  外科整形手術では手術後に後遺症発生の可能性、費用が多くかかる、手術後希望どうりにならなかった場合元に戻すことができない、などの問題があった。【０００４】  恒久的に変形させる方法で鼻に圧力や引っ張りを加えるものは、装着したまま人前に出ることができず、また鼻孔内に用具を装着するものは、外観では人に気付かれないもののそれらは効果が発生するまでに長期間の装着が必要であり実用は困難であった。【０００５】  鼻孔内に装着し、恒久変形と装着時のみ一時的に変形させることを兼ねた考案では鼻孔左用と鼻孔右用が各々単独であり、装着作業の不手際、外力や体を動かしたときの震動、鼻汁が出た時などに装着したものが外れる可能性がある。
特に外れたものが鼻孔の奥方向へ入ると、危険であり安心して使用できない。【０００６】  鼻孔内装着を安定させる方法として左用と右用に磁石を組み込み、お互いに磁石の力で引き合い固定する考案があるが、磁石の大きさが制限されるため固定力が大きくできず、外力や震動で外れる可能性がある。【０００７】  鼻の形を変えたいという願望に対し、一時的ではあるが、確実に鼻の形を変えて、費用は少なく、安全に人前で使用できることを可能とならしめる美容用具において、前述の欠点を解決しようとするものである。
【課題を解決するための手段】
【０００８】  鼻前庭部、鼻孔の高さより少し長く、板棒状で弾力性のある素材でできた、鼻高支持具左孔用本体と鼻高支持具右孔用本体を透明な糸で接続することにより鼻高支持具が安定し、安全に装着でき、使用中でも他人に気付かれることがなく、前述の問題点を解決している。
【考案の効果】
【０００９】  本考案の鼻高支持具を鼻前庭部鼻孔内に装着することにより、鼻尖内側が押し上げられ鼻が高くなると共に鼻翼のふくらみが小さくなり、確実に鼻の形を変えることができる。【００１０】  鼻尖の内側には「ツボ」がありここを鼻高支持具の先端部で押し上げることにより鼻づまりぎみの人でも解消傾向になり、通気がよくなる。【００１１】  本考案の鼻高支持具を装着した状態で接続糸は鼻孔仕切りの外側にかかり、鼻高支持具本体が鼻孔の奥方向へずれ込む危険を防止できる。【００１２】  接続糸は細くて透明なものを使用することで装着中でも他人に気付かれることがなく、人前での使用が可能となる。
【考案を実施するための最良の形態】
【００１３】  鼻高支持具左孔用本体と鼻高支持具右孔用本体は板棒状で反対勝手であり、弾力性のある素材を使用し各々一体成型で製造する。
鼻孔内面と接触する面は鼻孔形状に合わせた形とし、下部は半楕円球、先端部は円弧状で、先端の厚さは、厚すぎると装着したとき鼻先端の形がわるくなり、薄すぎると痛みを感じるため、１．５ｍｍ前後の厚さにすることがよい。【００１４】  鼻高支持具左孔用本体と鼻高支持具右孔用本体の板棒状部分は、装着したとき鼻孔の仕切り面に沿った位置になることが望ましい。
これにより鼻の通気性への影響は少なく、また安定した装着ができる。【００１５】  接続糸の素材は透明な樹脂製で高張力品がよい。
糸の径は太すぎると目だちやすく、しなやかさも少なくて使用しにくい。
また細すぎると装着時、鼻の仕切り外側にかかる部分に痛みを感じる可能性があるので、糸の径は０．１５ｍｍ前後が望ましい。【００１６】  鼻高支持具左孔用本体と鼻高支持具右孔用本体を糸で接続した間隔は鼻高支持具を適性位置に装着するための重要な要素なので、糸の長さは変わらないよう正確に作ることが大切である。【００１７】  鼻高支持具を、鼻の形を正確に変えることができ、装着しているものが鼻孔外部から見えにくくなる位置に装着すると、鼻高支持具本体の下部は先端部より少し鼻孔奥方向の位置になることから、下部が奥方向へずれる可能性がある。
従ってこれを防止するため、鼻高支持具本体と接続糸を固定する位置は鼻高支持具本体の下部に近いところがよい。【００１８】  鼻高支持具本体と接続糸の固定は安全上、絶対に外れがあってはいけない。
特に樹脂製の糸は結びにくいので確実に固定することが必要である。【００１９】  人はそれぞれ鼻孔の寸法が異なるので、鼻高支持具本体の高さサイズを複数準備する。日本人の平均的な鼻孔先端の高さは約２５ｍｍなのでこれより少し長いものを鼻高支持具本体の平均高さサイズとすることが望ましい。
【実施例】
【００２０】  以下添付図面に従って一実施例を説明する。
１は弾力性のあるシリコン樹脂で一体成型された鼻高支持具左孔用本体、２は１と同様の素材と方法で作られた鼻高支持具右孔用本体で、１と２の形状は反対勝手である。【００２１】  Ａａ．Ａｂは鼻高支持具本体下部で、鼻孔内下部形状に合わせ半楕円球形であり、その先の板棒状部分は、装着した状態で鼻の仕切り面側に沿う位置になっている。【００２２】  Ｂａ．Ｂｂは鼻高支持具本体の先端部で、鼻尖Ｆ内側の鼻孔内形状に合わせた円弧板状で厚さは１．５ｍｍ前後である。【００２３】  Ｈは鼻高支持具本体の高さで、日本人用の平均的な寸法は２７ｍｍであり、この前後複数のサイズがある。【００２４】  ３は接続糸で魚釣り用ナイロン糸の径０．１４８ｍｍ、高張力品を使用している。【００２５】  接続糸３は、１と２の板棒状部下方中央を貫通し、糸の両端は強固な抜け止め加工４ａ．４ｂが施され、１と２の間隔Ｓを一定に保っている。【００２６】  図３は鼻高支持具を適性位置に装着した状態の鼻断面図であり、Ａｂ部はＢｂ部より少し鼻孔の奥Ｅ方向に入った位置にあることから、Ａｂ部がＥ方向へずれ込む可能性があるので、接続糸３が鼻の仕切りＧの外側にかかり、ずれ込みを防止している。【００２７】  図４は鼻高支持具を装着した状態を鼻孔入り口側から見た図で、１と２の板棒状部が、鼻孔の仕切りＧの鼻孔内側に沿っていることから、安定した装着となる。
またこの状態では、通気への影響は少なく、むしろＢａ．Ｂｂが鼻尖Ｆの鼻孔内側にある「ツボ」を押していることにより、鼻がつまりぎみの人でも、通気が解消される傾向である。
【図面の簡単な説明】
【００２８】
【図１】  本考案の鼻高支持具の一実施例を示す斜視図である。
【図２】  本考案の鼻高支持具の一実施例を示す正面図である。
【図３】  本考案の鼻高支持具装着状態の鼻断面図である。
【図４】  本考案の鼻高支持具装着状態の鼻外入り口側から見た正面図である。
【符号の説明】
【００２９】  １    鼻高支持具左孔用本体
２    鼻高支持具右孔用本体
３    接続糸
４ａ  抜け止め加工左用
４ｂ  抜け止め加工右用
Ａａ  鼻高支持具左孔用本体下部
Ａｂ  鼻高支持具右孔用本体下部
Ｂａ  鼻高支持具左孔用本体先端部
Ｂｂ  鼻高支持具右孔用本体先端部
Ｃ    鼻前庭部
Ｄａ  鼻翼左
Ｄｂ  鼻翼右
Ｅ    鼻孔奥
Ｆ    鼻尖
Ｇ    鼻孔仕切り
Ｓ    鼻高支持具間隔
Ｈ    鼻高支持具本体高さ
【図１】
0003121830.tif 000003
【図２】
0003121830.tif 000004
【図３】
0003121830.tif 000005
【図４】
0003121830.tif 000006